(57)【要約】  一側面に係る掃除機据置台は、掃除機を充電するための第１充電端子が備えられる第１本体；前記第１本体の前方に突出して形成された第２本体；および前記掃除機から分離可能に装着されるバッテリーを収容するために前記第２本体に上面から下方に陥没して形成されるバッテリー収容空間を含み、前記バッテリー収容空間には前記バッテリーを充電するための第２充電端子が備えられ、前記第２本体には前記掃除機の端子が前記第１充電端子と接触するようにガイドする掃除機ガイドが備えられる。  【選択図】  図１
2019514595.tif 000002
【特許請求の範囲】
【請求項１】
掃除機据置台であって、
掃除機を充電するための第１充電端子が備えられる第１本体；
前記第１本体の前方に突出して形成された第２本体；及び
前記掃除機から分離可能に装着されるバッテリーを収容するために前記第２本体に上面から下方に陥没して形成されるバッテリー収容空間を備えてなり、
前記バッテリー収容空間には、前記バッテリーを充電するための第２充電端子が備えられ、
前記第２本体には、前記掃除機の端子が前記第１充電端子と接触するようにガイドする掃除機ガイドが備えられてなる、掃除機据置台。
【請求項２】
前記第１充電端子は、前記第２充電端子の上方に備えられてなる、請求項１に記載の掃除機据置台。
【請求項３】
前記第１充電端子と前記第２充電端子は、前記掃除機ガイドを基準として互いに反対側に備えられてなる、請求項１に記載の掃除機据置台。
【請求項４】
前記第１充電端子と前記第２充電端子は、前記バッテリー収容空間に収容されたバッテリーの上段部を基準として互いに反対側に備えられてなる、請求項１に記載の掃除機据置台。
【請求項５】
前記掃除機ガイドは、前記第２本体の上段部に備えられてなる、請求項１に記載の掃除機据置台。
【請求項６】
前記掃除機ガイドは、前記バッテリー収容空間に収容されたバッテリーの上段部の上方に備えられてなる、請求項１に記載の掃除機据置台。
【請求項７】
前記第１本体及び第２本体を支持するための支持台及びベースが備えられるスタンドをさらに備えてなる、請求項１に記載の掃除機据置台。
【請求項８】
前記支持台は、前記第１本体の底面に連結され、前記第１本体及び第２本体の重心の鉛直下方に配置されてなる、請求項７に記載の掃除機据置台。
【請求項９】
前記第１本体の背面には、前記第１充電端子及び前記第２充電端子にそれぞれ電源を供給するための電線が連結されてなり、
前記電線は、前記支持台の背面に沿って前記ベースに延びる、請求項７に記載の掃除機据置台。
【請求項１０】
前記第１本体の背面には、前記電線が連結される連結端子が備えられてなる、請求項９に記載の掃除機据置台。
【請求項１１】
前記第１本体の背面には、後方に延びて形成されて壁面と接触することによって前記第１本体と前記壁面との間に一定の距離を維持するための離隔部材が備えられてなる、請求項１に記載の掃除機据置台。
【請求項１２】
前記第１本体又は前記第２本体には、前記バッテリーの残量又は充電状態を表示するための表示部が備えられてなる、請求項１に記載の掃除機据置台。
【請求項１３】
前記第１充電端子による前記掃除機の充電と前記第２充電端子によるバッテリーの充電は、互いに独立して行なわれてなることを特徴とする、請求項１に記載の掃除機据置台。
【請求項１４】
前記第２充電端子によるバッテリーの充電は、前記第１充電端子による前記掃除機の充電が完了した後に開始されることを特徴とする、請求項１又は請求項１３に記載の掃除機据置台。
【請求項１５】
前記第１充電端子による前記掃除機の充電は、前記第２充電端子によるバッテリーの充電が完了した後に開始されることを特徴とする、請求項１又は請求項１３に記載の掃除機据置台。
【請求項１６】
掃除機を充電するための第１充電端子が備えられる第１本体；
前記第１本体から突出して形成される第２本体；及び
前記掃除機に装着されるバッテリーを収容するために前記第２本体の一面から陥没して形成されるバッテリー収容空間を備えてなり、
前記バッテリー収容空間には、前記バッテリーを充電するための第２充電端子が備えられてなり、
前記掃除機の端子が前記第１充電端子と接触すると、前記掃除機は前記バッテリー収容空間の少なくとも一部をカバーするものである、掃除機据置台。
【請求項１７】
前記掃除機の端子が前記第１充電端子と接触すると、前記バッテリー収容空間に収容されたバッテリーは前記掃除機によって少なくとも一部がカバーされてなる、請求項１６に記載の掃除機据置台。
【請求項１８】
前記第２本体には、前記掃除機を固定するために前記掃除機に備えられた固定溝に挿入される固定部材が備えられてなる、請求項１６に記載の掃除機据置台。
【請求項１９】
掃除機を充電するための第１充電端子が備えられる第１本体；
前記第１本体から突出して形成される第２本体；及び
前記掃除機に装着されるバッテリーを収容するために前記第２本体の一面から陥没して形成されるバッテリー収容空間を備えてなり、
前記バッテリー収容空間には、前記バッテリーを充電するための第２充電端子が備えられ、
前記第１充電端子が備えられる設置面を延長した平面と前記第２充電端子が備えられる設置面を延長した平面は、互いに交差する、掃除機据置台。
【請求項２０】
前記第１充電端子が備えられる平面は、前記バッテリー収容空間に前記バッテリーが挿入される方向と平行であることを特徴とする、請求項１９に記載の掃除機据置台。
【請求項２１】
前記第２本体には、前記掃除機の端子が前記第１充電端子と接触するようにガイドする掃除機ガイドが備えられてなり、
前記掃除機ガイドによってガイドされる前記掃除機の移動軌跡と前記バッテリー収容空間に挿入されるバッテリーの移動軌跡は、少なくとも一部分が互いに重なる、請求項１９に記載の掃除機据置台。
【発明の詳細な説明】
【技術分野】
【０００１】
本明細書は、掃除機据置台に関する。
【背景技術】
【０００２】
掃除機は、掃除対象領域の塵埃や異物を吸い込んだり拭いて掃除を行う機器である。
【０００３】
このような掃除機は、使用者が直接掃除機を移動させながら掃除を行うための手動掃除機と、自律走行しながら掃除を行う自動掃除機に区分され得る。手動掃除機は、掃除機の形態により、キャニスタタイプ掃除機、アップライトタイプ掃除機、ハンディ型掃除機、スティック型掃除機などに区分され得る。
【０００４】
上述した掃除機は、充電式バッテリーを内蔵するように構成され、充電式バッテリーは、随時充電されて初めて掃除機の動作のための電源を供給することができる。したがって、掃除機は充電式バッテリーを充電すると共に掃除機を据え置くことができる据置台を必要とする。
【０００５】
先行文献である大韓民国登録特許公報第１０-２０１２-０１０３９５６号には真空掃除機据置台に対する内容が開示されている。
【０００６】
先行文献の真空掃除機据置台は、真空掃除機を充電すると共に据え置くように、真空掃除機のヘッドを据え置くための受け台および真空掃除機を充電するための充電ピンが備わった支持台を含む。
【０００７】
一方、先行文献の真空掃除機据置台は、掃除機本体の充電は可能であるがバッテリーを別に充電できない。したがって、掃除中に掃除機本体に備えられたバッテリーが放電すると、掃除機本体を再び充電しなければならないので使用者の不便を招くことがある。
【発明の概要】
【発明が解決しようとする課題】
【０００８】
本発明の目的は、掃除機の充電と掃除機から分離可能に装着されるバッテリーの充電を同時に遂行できる掃除機据置台を提供することにある。
【０００９】
本発明の目的は、掃除機および掃除機から分離可能に装着されるバッテリーをコンパクトに据え置きできる掃除機据置台を提供することにある。
【００１０】
本発明の目的は、掃除機を安定的に据え置きできる掃除機据置台を提供することにある。
【課題を解決するための手段】
【００１１】
一側面に係る掃除機据置台は、掃除機を充電するための第１充電端子が備えられる第１本体；前記第１本体の前方に突出して形成された第２本体；および前記掃除機から分離可能に装着されるバッテリーを収容するために前記第２本体に上面から下方に陥没して形成されるバッテリー収容空間を含み、前記バッテリー収容空間には前記バッテリーを充電するための第２充電端子が備えられ、前記第２本体には前記掃除機の端子が前記第１充電端子と接触するようにガイドする掃除機ガイドが備えられる。
【００１２】
他の側面に係る掃除機据置台は、掃除機を充電するための第１充電端子が備えられる第１本体；前記第１本体から突出して形成される第２本体；および前記掃除機に装着されるバッテリーを収容するために、前記第２本体に上面から下方に陥没して形成されるバッテリー収容空間を含み、前記バッテリー収容空間には、前記バッテリーを充電するための第２充電端子が備えられ、前記掃除機の端子が前記第１充電端子と接触すると、前記掃除機は、前記バッテリー収容空間の少なくとも一部をカバーする。
【００１３】
また、他の側面に係る掃除機据置台は、掃除機を充電するための第１充電端子が備えられる第１本体；前記第１本体から突出して形成される第２本体；および前記掃除機に装着されるバッテリーを収容するために、前記第２本体の一面から陥没して形成されるバッテリー収容空間を含み、前記バッテリー収容空間には、前記バッテリーを充電するための第２充電端子が備えられ、前記第１充電端子が備えられる設置面を延長した平面と前記第２充電端子が備えられる設置面を延長した平面は互いに交差する。
【００１４】
他の側面に係る掃除機据置台は、掃除機を充電するための第１充電端子が備えられる第１本体；前記第１本体から突出して形成される第２本体；および前記掃除機に装着されるバッテリーを収容するために、前記第２本体の一面から陥没して形成されるバッテリー収容空間を含み、前記バッテリー収容空間には前記バッテリーを充電するための第２充電端子が備えられ、前記掃除機のバッテリーハウジングには前記第１充電端子と接触する端子が備えられ、前記掃除機の端子が前記第１充電端子に接触すると、前記掃除機の集塵筒は、前記掃除機のバッテリーハウジングと前記バッテリー収容空間との間に配置される。
【発明の効果】
【００１５】
本発明の実施例によると、第１本体に備えられた第１充電端子および第２本体に備えられた第２充電端子を利用して掃除機の充電と掃除機から分離可能に装着されるバッテリーを共に充電することができる。これに伴い、掃除中に掃除機が放電しても充電されたバッテリーを利用できるので、掃除が中断されることを防止することができる。
【００１６】
また、本発明によると、第２本体にバッテリーが収容され、掃除機は第２本体の上側でバッテリーをカバーするように掃除機据置台に据え置かれる。このようにバッテリーおよび掃除機が上下に据え置かれることによって、掃除機据置台の幅を減らすことができるので、掃除機据置台の設置のために必要な空間が減少する。
【００１７】
また、本発明の掃除機据置台がスタンド型で使用される場合、第２本体の上側に掃除機が据え置かれて掃除機の下方にバッテリーが収容されることによって、掃除機据置台の重心がバッテリーによって下方に移動するので、掃除機をより安定的に据え置きできるという長所がある。
【図面の簡単な説明】
【００１８】
【図１】本発明の一実施例に係る掃除機据置台の斜視図である。
【図２】図１の掃除機据置台の正面図である。
【図３】図１の掃除機据置台の側面図である。
【図４】図１の掃除機据置台の背面図である。
【図５】掃除機据置台に掃除機が据え置かれた様子を示す図である。
【図６】図６（ａ）は、掃除機が掃除機ガイドによってガイドされる様子を示す図である。図６（ｂ）は、ロッキング部が掃除機に結合される様子を示す図である。
【図７】掃除機据置台で補助バッテリーが分離された様子を示す図である。
【図８】図７の補助バッテリーの斜視図である。
【図９】図７の補助バッテリーの底面を示す図である。
【図１０】図７の補助バッテリーの側面図である。
【図１１】図７の第２本体の内部を示す図である。
【図１２】図１１の第２本体の平面図である。
【図１３】図１１の第１本体の縦断面図である。
【図１４】図１１の第１本体の縦断面図である。
【図１５】図１５バッテリー収容空間の内周面を示す図である。
【図１６】第２本体のバッテリー収容空間に補助バッテリーが収容された状態の縦断面図である。
【図１７】第２本体のバッテリー収容空間に補助バッテリーが収容された状態の縦断面図である。
【図１８】充電台でノズルが分離された様子を示す図である。
【図１９】充電台が支持台から分離された様子を示す図である。
【図２０】掃除機が据え置かれた充電台が壁面に装着された様子を示す図である。
【図２１】充電台本体が底面によって支持される様子を示す図である。
【図２２】本発明の他の実施例に係る掃除機据置台に掃除機が据え置かれた様子を示す図である。
【発明を実施するための形態】
【００１９】
以下、本発明の一部の実施例を例示的な図面を通じて詳細に説明する。各図面の構成要素に参照符号を付けることにおいて、同一の構成要素に沿っては、たとえ他の図面上に示されてもできるだけ同じ符号を付けたことに留意しなければならない。また、本発明の実施例を説明することにおいて、関連した公知の構成または機能に沿っての具体的な説明が本発明の実施例に対する理解を妨害すると判断される場合にはその詳細な説明は省略する。
【００２０】
また、本発明の構成要素を説明することにおいて、第１、第２、Ａ、Ｂ、（ａ）、（ｂ）等の用語を使用し得る。このような用語は、単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００２１】
図１は、本発明の一実施例に係る掃除機据置台の斜視図であり、図２は、図１の掃除機据置台の正面図であり、図３は、図１の掃除機据置台の側面図であり、図４は、図１の掃除機据置台の背面図であり、図５は、掃除機据置台に掃除機が据え置かれた様子を示す図である。
【００２２】
図１ないし図５を参照すると、本発明の一側面に係る掃除機据置台１０は、掃除機３００を充電するための充電台本体１００を含む。前記充電台本体１００は、前記掃除機３００を支持すると共に前記掃除機３００に備えられたバッテリーを充電することができる。
【００２３】
前記掃除機３００は、吸込モーターが備わった掃除機本体３１０、バッテリーが収容されるバッテリーハウジング３２０、延長管３３０および吸込ノズル３４０を含むことができる。前記掃除機本体３１０は、塵埃を分離するための塵埃分離部３１２と、前記塵埃分離部３１２から分離された塵埃が集塵される集塵筒３１４を含むことができる。前記掃除機本体３１０で発生した吸込力によって外部の空気は、前記吸込ノズル３４０および前記延長管３３０を通じて流入されて前記掃除機本体３１０に備えられた集塵筒３１４に移動することができる。
【００２４】
前記充電台本体１００は、第１本体１１０を含む。
【００２５】
前記第１本体１１０には、第１充電端子１１３が備えられる。前記第１充電端子１１３は、前記掃除機３００の端子と接触して前記掃除機３００に備えられたバッテリーを充電することができる。
【００２６】
前記充電台本体１００は、前記第１本体１１０と連結され、補助バッテリーが収容される第２本体１３０を含む。前記第２本体１３０は、前記第１本体１１０から突出して形成され得る。前記第１本体１１０と前記第２本体１３０は、示されたように一体に形成されるが、これに制限されない。
【００２７】
前記補助バッテリー３０２は、前記掃除機３００に脱着可能に連結されて前記掃除機３００を駆動するための電源を供給することができる。前記第２本体１３０には、前記補助バッテリー３０２を充電するための第２充電端子１３１（図１１参照）が備えられ得る。
【００２８】
前記第１充電端子１１３による前記掃除機３００の充電と、前記第２充電端子１３１による前記補助バッテリー３０２の充電は、それぞれ独立的に行われ得る。具体的に、前記掃除機３００の充電と前記補助バッテリー３０２の充電は、同時に行われるか、または、いずれか一つの充電が完了した後に残りの一つの充電が行われ得る。また、前記掃除機３００の充電と前記補助バッテリー３０２の充電が交互に行われ得る。
【００２９】
一例として、前記第１充電端子１１３による前記掃除機３００のバッテリーが完全充電された後に前記第２充電端子１３１による前記補助バッテリー３０２の充電が開始され得る。他の例として、前記第２充電端子１３１による補助バッテリー３０２の充電が完了した後に前記第１充電端子１１３による前記掃除機３００の充電が開始され得る。
【００３０】
前記第１本体１１０には、余分のノズル３０３、３０４が結合され得る。前記ノズル３０３、３０４は、掃除機３００などに脱着可能であり得る。一般的に掃除機は、交換可能な吸込ノズルを用途により複数備えることができる。したがって、使用しない吸込ノズルは保管が不便な短所があるが、このように前記吸込ノズル３０３、３０４を前記充電台本体１１０に結合された状態で保管するようになると、紛失の危険が減少し、使用者はこれを容易に使用することができる。前記余分のノズル３０３、３０４をアクセサリーと称することができる。
【００３１】
前記第２本体１３０には,前記掃除機本体３１０を固定するための固定部材１１６が備えられ得る。前記固定部材１１６は,前記第２本体１３０から突出して形成され得る。また、前記固定部材１１６には、弾性部材（図示せず）が連結されることによって外力によって前記第２本体１３０に選択的に引き入れられ得る。一方、前記固定部材１１６は、前記第２本体１３０でなく前記第１本体１１０に備えられることもある。
【００３２】
前記固定部材１１６は、前記掃除機本体３１０に挿入されることによって前記掃除機本体３１０を固定することができる。前記掃除機本体３１０には、前記固定部材１１６が挿入される固定溝（図示せず）が形成され得る。
【００３３】
一方、示されなかったが、前記充電台１００には、前記固定部材１１６の出し入れを制御するための操作ボタン（図示せず）が備えられ得る。具体的に、使用者が前記操作ボタンを押すと、前記固定部材１１６が前記第２本体１３０に挿入されることによって前記固定部材１１６と前記掃除機本体３１０との間の結合が解除され得る。
【００３４】
前記第２本体１３０には、前記掃除機本体３１０の装着をガイドするための掃除機ガイド１３７が備えられ得る。前記掃除機ガイド１３７は、底面と並ぶように形成され得る。前記掃除機本体３１０は、前記掃除機ガイド１３７に沿って後方にガイドされて前記第１充電端子１１３と接触することができる。前記掃除機ガイド１３７は、前記掃除機本体３１０をガイドすると共に前記掃除機本体３１０の荷重を支持することができる。必要に応じて、前記掃除機ガイド１３７を‘掃除機支持部１３７’と称することができる。前記掃除機ガイド１３７の上方に前記掃除機３００が据え置かれる場合、前記補助バッテリー３０２が外部から見られないように遮蔽され得る。示されたように前記掃除機ガイド１３７は、前記第２本体１３０と一体に形成されるが、このような特徴に制限されない。
【００３５】
前記固定部材１１６は、前記掃除機ガイド１３７の後段部側に備えられ得る。これに伴い、前記掃除機本体３１０は、前記掃除機ガイド１３７に沿って前記第１充電端子１１３側にガイドされた後に前記固定部材１１６と結合することができる。
【００３６】
前記掃除機３００の端子が前記第１充電端子１１３に接触すると、前記掃除機３００の集塵筒３１５は、前記掃除機３００のバッテリーハウジング３２０と前記バッテリー収容空間（図７の１３０ａ参照）に配置され得る。また、前記掃除機３００の端子が前記第１充電端子１１３と接触すると、前記掃除機３００は、前記バッテリー収容空間（図７の１３０ａ参照）の少なくとも一部をカバーする。
【００３７】
前記充電台本体１００は、前記第１本体１１０に備えられるロッキング部１２０をさらに含むことができる。前記ロッキング部１２０は、前記第１本体１１０の上側に備えられ得る。前記ロッキング部１２０は、前記掃除機３００と結合して前記掃除機３００を安定的に固定することができる。
【００３８】
具体的に、前記ロッキング部１２０は、前記バッテリーハウジング３２０と結合して前記掃除機３００を支持することができる。前記ロッキング部１２０の内周面は、前記バッテリーハウジング３２０の外周面を囲むように前記バッテリーハウジング３２０の外周面と対応する形状に成され得る。
【００３９】
使用者は、前記ロッキング部１２０を前後方に選択的に回転させて前記バッテリーハウジング３２０と結合させることができる。前記ロッキング部１２０には、使用者が把持することが容易となるように摩擦力が提供される滑り防止部１２２が備えられ得る。前記滑り防止部１２２は、前記ロッキング部１２０の外周面から突出した複数の突起を含むことができる。
【００４０】
前記掃除機据置台１０は、前記充電台本体１００を支持するためのスタンド２００をさらに含むことができる。
【００４１】
前記スタンド２００は、底面に安着されるベース２１０および前記ベース２１０に備えられる支持台２２０を含むことができる。前記支持台２２０は、前記充電台本体１００に分離可能に結合され得る。前記支持台２２０は、前記ベース２１０から鉛直方向に延びることができる。
【００４２】
前記支持台２２０の下段部は、前記ベース２１０と連結され、前記支持台２２０の上段部は、前記充電台１００と連結される。前記支持台２２０の上段部は、前記充電台１００の重心Ｇの鉛直下方で前記充電台１００と連結され得る。これに伴い、前記支持台２２０は、前記充電台１００を安定的に支持することができる。
【００４３】
前記第１本体１１０には、電源を供給するための電線１１４が備えられ得る。前記電線１１４は、前記第１本体１１０の背面１１１から延びる。
【００４４】
前記第１本体１１０には、前記電線１１４が連結される連結端子１１７が備えられ得る。前記電線１１４の一段部は、前記連結端子１１７を介して前記第１本体１１０と連結され得る。
【００４５】
前記連結端子１１７には、前記第１充電端子１１３と前記第２充電端子１３１とが連結される。これに伴い、前記電線１１４を介して印加される電源が前記第１充電端子１１３および前記第２充電端子１３１に供給され得る。
【００４６】
前記連結端子１１７は、前記第１本体１１０の背面１１１に備えられ得る。また、前記連結端子１１７は、前記第１充電端子１１３と前記第２充電端子１３１との間に配置され得る。すなわち、前記連結端子１１７は、前記第１充電端子１１３の下方に配置され、前記第２充電端子１３１は、前記連結端子１１７の下方に配置され得る。
【００４７】
前記電線１１４の他の端部には、電源プラグ（図示せず）が連結され得る。前記電源プラグは、コンセントなどに連結されることによって外部電源の供給を受けることができる。
【００４８】
前記電線１１４は、前記支持台２２０と結合することができる。具体的に、前記電線１１４は、前記支持台２２０の背面に連結されて前記ベース２１０に延びることができる。前記支持台２２０の背面には、前記電線１１４を固定するための部材が備えられ得る。
【００４９】
前記電線１１４は、前記ベース２１０の上段を通じて前記ベース２１０の内部に延び、前記ベース２１０の側面部または底面部を通じて再び前記ベース２１０の外部に延びることができる。
【００５０】
前記ベース２１０には、前記電線１１４を巻くためのコードリール（ｃｏｒｄ  ｒｅｅｌ）（図示せず）が備えられ得る。具体的に、前記コードリールは，前記ベース２１０の内部に備えられ得る。したがって、使用者は，必要に応じて前記電線１１４の延長の長さを調節することができる。
【００５１】
前記ベース２１０は，前記掃除機３００の吸込ノズル３４０が据え置かれる傾斜面２１３および前記掃除機３００の吸込ノズル３４０の離脱を防止するためのストッパー２１５とを含むことができる。
【００５２】
前記ストッパー２１５は，前記傾斜面２１３の端部に突出して形成され得る。前記ストッパー２１５は、前記吸込ノズル３４が前記ベース２１０に安定的に安着した状態を維持できるように支持する役割をする。
【００５３】
一方、前記第１本体１１０には、塵埃収集部（図示せず）が備えられ得る。前記塵埃収集部は、前記掃除機本体３１０に備えられた集塵筒３１５と連通することができる。前記集塵筒３１５に集塵された塵埃は、前記掃除機本体３１０の吸込モーターで発生する吸込力、または、前記塵埃収集部に備えられた別途の装置で発生した吸込力により前記塵埃収集部に移動することができる。前記塵埃収集部が備えられることによって使用者が前記集塵筒３１５に集塵された塵埃を直接取り除かなくても良いので使用者の便宜性が向上し得る。
【００５４】
前記第１本体１１０の背面１１１には、壁面と一定の距離を維持するための離隔部材（図示せず）が備えられ得る。前記離隔部材は、前記第１本体１１０の背面１１１から後方に向かって延びて形成され得る。前記離隔部材が備えられることに伴って前記第１本体１１０が外力によって壁面に衝突する現象を防止することができる。
【００５５】
前記第１本体１１０の背面１１１には、前記充電台１００を壁面などに固定するための固定部１１５ａ、１１５ｂが備えられ得る。これに伴い、前記充電台１００は、前記支持台２２０から分離された状態で壁面に固定され得る（図２０参照）。前記固定部１１５ａ、１１５ｂは、孔または溝形状に成され得る。これに伴い、前記固定部１１５ａ、１１５ｂに壁面に設置されたクギなどが挿入されることによって、前記第１本体１１０が壁面に固定され得る。
【００５６】
前記掃除機据置台１０は、離隔部材１９０をさらに含むことができる。前記離隔部材１９０は、前記第１本体１１０の背面１１１から後方に延びて形成され得る。これに伴い、前記離隔部材１９０は、壁面と接触することによって前記第１本体１１０と前記壁面との間に一定の距離を維持するようにし得る。
【００５７】
前記離隔部材１９０は、前記第１本体１１０の背面１１１に回転可能に連結され得る。これに伴い、前記離隔部材１９０を使用しない場合に使用者は、前記離隔部材１９０が前記第１本体１１０の背面１１１に密着するように畳むことができる。具体的に、前記掃除機据置台１０が壁面に連結される場合や底面で使用される場合に前記離隔部材１９０が第１本体１１０の背面１１１に密着するように畳んで保管し、前記掃除機据置台１０が前記スタンド２００に連結されて使用される場合には前記離隔部材１９０を広げて使用することができる。このために、前記離隔部材１９０は、プレート１９１と前記プレート１９１が第１本体１１０の背面１１１に回転可能に連結されるようにするヒンジ部１９３とを含むことができる。示されたように、前記プレート１９１は、長方形状に形成され得る。
【００５８】
以下では、前記充電台１０に前記掃除機３００が結合される方法について説明する。
【００５９】
図６は、充電台に掃除機が結合される様子を示す図である。具体的に、図６の（ａ）は、掃除機が掃除機ガイドによってガイドされる様子を示し、図６の（ｂ）は、ロッキング部が掃除機に結合される様子を示す。
【００６０】
図６を参照すると、前記掃除機本体３１０は。前記掃除機ガイド１３７に支持された状態で前記掃除機ガイド１３７に沿って前後方に移動することができる。これに伴い、前記掃除機本体３１０は、前記第１充電端子１１３と選択的に接触することができる。
【００６１】
前記ロッキング部１２０は、前記第１本体１１０に所定の角度範囲内で回転可能に連結され得る。図６の（ａ）は、前記ロッキング部１２０が後方（図６の（ａ）でとき計方向）に最大限回転した状態を示す。
【００６２】
前記第１本体１１０には、前記ロッキング部１２０に弾性力を加えるための弾性部材（図示せず）が備えられ得る。前記ロッキング部１２０が後方に回転した状態では、前記弾性部材（図示せず）は、前記ロッキング部１２０が後方に回転した状態を維持されるように後方に弾性力を加えることができる。
【００６３】
前記ロッキング部１２０には、押え部１２３が備えられ得る。前記押え部１２３は、前記ロッキング部１２０の内側に備えられ得る。前記押え部１２３は、前記掃除機本体３１０が前記ガイド部１１６に沿って移動する過程で前記バッテリーハウジング３２０により加圧され得る。
【００６４】
前記バッテリーハウジング３２０が前記押え部１２３を加圧すると、前記ロッキング部１２０が作動することがある。
【００６５】
具体的に、前記ロッキング部１２０が作動すると、前記ロッキング部１２０は、前方（図６の（ｂ）で半時計方向）に回転して前記バッテリーハウジング３２０の外周面と結合することができる。これに伴い、前記ロッキング部１２０は、前記バッテリーハウジング３２０の少なくとも一部をカバーすることができる。
【００６６】
前記ロッキング部１２０が前方に回転すると、前記弾性部材（図示せず）は、前記ロッキング部１２０が前方に回転した状態を維持するように弾性力を提供することができる。これに伴い、前記ロッキング部１２０は、前記バッテリーハウジング３２０を前記第１本体１１０に固定する役割をすることができる。
【００６７】
図７は、掃除機据置台で補助バッテリーが分離された様子を示す図であり、図８は、図７の補助バッテリーの斜視図であり、図９は、図７の補助バッテリーの底面を示す図であり、図１０は、図７の補助バッテリーの側面図である。図７ないし図１０を参照すると、前記第２本体１３０には、前記補助バッテリー３０２を収容するためのバッテリー収容空間１３０ａが形成される。前記バッテリー収容空間１３０ａには、前記補助バッテリー３０２の引出しまたは引入れをガイドするためのバッテリーガイド１３６が備えられ得る。
【００６８】
前記補助バッテリー３０２は、示されなかったバッテリーセルと、前記バッテリーセルを保護するフレーム３０２１とを含むことができる。
【００６９】
前記フレーム３０２１は、示されたように直方体形状に形成され得る。具体的に、前記フレーム３０２１は、前後方向に細長い形状に形成され得る。但し、このような事項に制限されない。
【００７０】
前記フレーム３０２１の底面には、突出部３０２２が形成され、前記突出部３０２２には、後述する第２充電端子１３１が貫通する端子孔３０２３が形成され得る。前記第２充電端子１３１は、前記バッテリー収容空間１３０ａに備えられる。前記端子孔３０２３内には、前記第２充電端子１３１と接触するバッテリー端子とが備えられ得る。
【００７１】
前記端子孔３０２３は、前記突出部３０２２の底面に形成される。したがって、前記補助バッテリー３０２が下方に前記バッテリー収容空間１３０ａに挿入される過程で前記第２充電端子１３１が前記端子孔３０２３を貫通して前記バッテリー端子と接触することができる。
【００７２】
前記バッテリーガイド１３６は、前記第２充電端子１３１が前記端子孔３０２３に安定的に挿入されるように前記突出部３０２２の下方移動をガイドする役割をする。
【００７３】
このとき、前記補助バッテリー３０２が前記バッテリー収容空間１３０ａに挿入される方向を使用者が簡単に知ることができるように、前記突出部３０２２は、前記フレーム３０２１底面の中央部から一側に偏るように位置し得る。
【００７４】
前記補助バッテリー３０２は、複数の結合部３０２４、３０２６をさらに含むことができる。前記複数の結合部３０２４、３０２６は、前記フレーム３０２１の一側に配置される第１結合部３０２４と、前記フレーム３０２１の他方に配置される第２結合部３０２６とを含むことができる。前記第１結合部３０２４と前記第２結合部３０２６は、互いに反対側に位置し得る。
【００７５】
一例として、前記第１結合部３０２４と前記第２結合部３０２６はそれぞれ前記フレーム３０２１の前後方向に備えられ得る。このとき、上側から見ると、前記第１結合部３０２４と前記第２結合部３０２６はそれぞれ前記フレーム３０２１の狭い面に備えられ得る。
【００７６】
前記第１結合部３０２４は、前記フレーム３０２１と一体に形成され、外力によって弾性変形され得る。
【００７７】
前記第１結合部３０２４は、前記フレーム３０２１の上面で水平方向に所定の長さに延びた後に下方に延びる。これに伴い、前記第１結合部３０２４は、前記フレーム３０２１の外面と離隔する。
【００７８】
すなわち、前記フレーム３０２１と前記第１結合部３０２４との間に空間が形成される。前記空間によって前記第１結合部３０２４は、外力によって前記フレーム３０２１と近づく方向に弾性変形され得る。
【００７９】
前記第１結合部３０２４は、第１フック３０２５を含むことができる。前記第１フック３０２５は、前記第１結合部３０２４の他の部分に比べて薄い厚さに形成され得る。
【００８０】
前記バッテリーハウジング３２０には、前記第１結合部３０２４の第１フック３０２５が結合される溝が形成され得る。このとき、前記第１結合部３０２４の第１フック３０２５は、前記バッテリーハウジング３２０内に引き入れられた状態で前記溝に挿入される。
【００８１】
前記第２結合部３０２６は、前記フレーム３０２１に回転可能に結合される第２フック３０２７を含むことができる。
【００８２】
前記第２結合部３０２６は、前記フレーム３０２１に備えられる弾性部材（図示せず）によって弾性支持され得る。前記弾性部材は、前記第２結合部３０２６が前記フレーム３０２１から遠ざかる方向に移動するようにする弾性力を前記第２結合部３０２６に提供する。
【００８３】
前記第２結合部３０２６は、一例として、前記補助バッテリー３０２が前記バッテリーハウジング３２０に収容された状態で前記バッテリーハウジング３２０内部のバッテリー結合部（図示せず）に結合され得る。
【００８４】
一方、前記第１結合部３０２４が備えられる面を第１面と称し、前記第２結合部３０２６が備えられる面を第２面と称することができる。また、前記補助バッテリー３０２で前記第１および第２面にそれぞれ交差する面を第３および第４面とすることができる。したがって、前記第１面は前記第２面と互いに向かい合い、前記第３面は前記第４面と互いに向かい合うように形成される。また、示されたように前記第１および第２面の水平方向の長さは、前記第３および第４面の水平方向の長さより短く形成され得る。
【００８５】
前記フレーム３０２１の上面部には端顎部３０２８が備えられ得る。前記端顎部３０２８は、前記バッテリー収容空間１３０ａ内部で前記補助バッテリー３０２の挿入深さを制限する機能を有する。前記バッテリー収容空間１３０ａに備えられた相対構造については後述する。
【００８６】
図１１は、図７の第２本体の内部を示す図であり、図１２は、図１１の第２本体の平面図であり、図１３および図１４は、図１１の第１本体の縦断面図であり、図１５は、バッテリー収容空間の内周面を示す図である。
【００８７】
図１１ないし図１５を参照すると、前記バッテリー収容空間１３０ａは、前記第２本体１３０の上面から下方に陥没して形成され得る。また、バッテリー収容空間１３０ａは、前記補助バッテリー３０２の形状に対応するように前後方向の幅が左右方向の幅より長く形成され得る。これに伴い、前記第２本体１３０の側面部は、前記第２本体の１３０の前面部および後面部より長く形成され得る。すなわち、前記第２本体１３０は、直方体形状に成され得る。
【００８８】
前記第２本体１３０の内側には、前記補助バッテリー３０２を充電させるための第２充電端子１３１が備えられる。前記第２充電端子１３１は、前記第１充電端子１１３より下側に配置され得る。前記第２充電端子１３１は、前記第２本体１３０に収容された補助バッテリー３０２と選択的に接触することができる。
【００８９】
前記第２本体１３０には、前記第２充電端子１３１が備えられる陥没部１３３が備えられ得る。前記陥没部１３３は、前記補助バッテリー３０２の突出部３０２２の形状と対応する形状に成され得る。また、前記補助バッテリー３０２が前記バッテリー収容空間１３０ａに挿入される方向を使用者が簡単に知ることができるように、前記陥没部１３３は、前記バッテリー収容空間１３０ａの底面１３０ｂの中央部から前方に偏るように位置し得る。
【００９０】
前記陥没部１３３は、前記第２本体１３０の底面から下方に陥没して形成され得る。前記第２充電端子１３１は、前記陥没部１３３の底面に備えられ、前記陥没部１３３の底面から上方に突出して形成され得る。前記第１充電端子１１３が備えられる設置面を延長した平面と前記第２充電端子１３１が備えられる設置面を延長した平面は互いに交差することができる。
【００９１】
前記第２充電端子１３１が上方に突出した長さは、陥没部１３３の深さより短く形成され得る。これに伴い、前記第２充電端子１３１の上段部は、前記バッテリー収容空間１３０ａの底面１３０ｂより下側に配置され得る。すなわち、前記第２充電端子１３１は、前記陥没部１３３に収容されるので、前記第２充電端子１３１が外力によって損傷する現象を最小化することができる。
【００９２】
前記バッテリー収容空間１３０ａの一側には、使用者が前記バッテリー収容空間１３０ａに収容された補助バッテリー３０２を把持することが容易となるようにするための溝部１３２、１３４、１１２が形成され得る。使用者は前記溝部１３２、１３４、１１２を通じて前記補助バッテリー３０２の側面部を把持することができる。
【００９３】
前記溝部１３２、１３４、１１２は、前記バッテリー収容空間１３０ａの前方に備えられる第１溝部１３２と、前記バッテリー収容空間１３０ａの後方に備えられる第２溝部１３４および第３溝部１１２とを含むことができる。
【００９４】
前記第１溝部１３２は、前記第２本体１３０前面部の上段から下方に切開された形状に成され得る。また、前記第１溝部１３２は、前記第１結合部３０２４の底面部と対応する形状に形成され、一例としてＵ字形状と類似した形状に形成され得る。
【００９５】
前記第２溝部１３４は、前記第２本体１３０の後面部の上段から下方に切開されて形成され得る。したがって、前記第２溝部１３４は、前記バッテリー収容空間１３０ａと連結される。また、前記第２溝部１３４は、前記第１溝部１３２と向かい合うように配置され得る。
【００９６】
前記第３溝部１１２は、使用者の指が挿入されて前記第２結合部１３４と接触できるように陥没して形成される。具体的に、前記第３溝部１１２は、前記第１本体１１０に備えられ、前記第１本体１１０から後方に陥没して形成され得る。また、前記第３溝部１１２は、前記バッテリー収容空間１３０ａと少なくとも一部分が重なるように上方および下方に延びて形成され得る。また、前記第３溝部１１２は、前記第２溝部１３４と連結され得る。したがって、前記第２溝部１３４は、前記第３溝部１１２と前記バッテリー収容空間１３０ａとを連結することができる。前記第３溝部１１２は、示されたように前記第２溝部１３４と一つの溝を形成することができる。
【００９７】
前記第１溝部１３２は、前記補助バッテリー３０２の第１結合部３０２４が収容され得、前記第２溝部１３４には、前記補助バッテリー３０２の第２結合部３０２６が収容され得る。さらに、前記第１溝部１３２は、前記第１結合部３０２４の下側を支持し、前記第２溝部１３４は、前記第２結合部３０２６の下側を支持することができる。
【００９８】
前記バッテリー収容空間１３０ａの内周面には、前記第１フック３０２５が収容される補助溝１３２ａが形成され得る。前記補助溝１３２ａは、前記第１溝部１３２の下方に備えられ、前記バッテリー収容空間１３０ａの内周面に陥没して形成され得る。前記補助溝１３２ａは、前記バッテリーガイド１３６に備えられ得る。前記補助溝１３２ａの上段は、前記第１溝部１３２と連結され得る。
【００９９】
前記補助バッテリー３０２が前記掃除機３００に備えられたバッテリーハウジング３２０に挿入される場合とは異なり、前記補助バッテリー３０２が前記バッテリー収容空間１３０ａに挿入される場合には、前記第１結合部３０２４と前記第２結合部３０２６が前記バッテリー収容空間１３０ａの内周面によって加圧されない。これに伴い、使用者は、前記補助バッテリー３０２を前記バッテリー収容空間１３０ａに容易に引出しまたは引入れることができる。
【０１００】
前記第２本体１３０は、前記補助バッテリー３０２の残量を表示するための表示部１３５をさらに含むことができる。前記表示部１３５は、示されたことと異なって前記第１本体１１０に備えられることも可能である。
【０１０１】
前記表示部１３５は、多様な色を表示できるＬＥＤ照明を含むことができる。一例として、前記表示部１３５は、前記補助バッテリー３０２の残量を３段階で表示することができる。具体的に、前記表示部１３５は、前記補助バッテリー３０２の残量を上中下に分けて各段階により異なる色を表示することができる。また、前記表示部１３５は、前記補助バッテリー３０２の充電中には、点滅することによって充電状態を使用者に知らせることができる。
【０１０２】
前記補助バッテリー３０２をガイドするバッテリーガイド１３６は、前記掃除機ガイド１３７の下側に備えられ、下方に延びて形成され得る。
【０１０３】
前記バッテリーガイド１３６は、前記補助バッテリー３０２と対応する形状に形成され得る。これに伴い、前記第２本体１３０に引入される補助バッテリー３０２の端子の位置が前記第２充電端子１３１の位置と正確に整列することができる。示されなかったが、前記バッテリーガイド１３６には、前記補助バッテリー３０２の引出しまたは引入れをより効果的にガイドするための突起または溝が形成され得る。
【０１０４】
前記バッテリーガイド１３６には、前記補助バッテリー３０２が出し入れされる入口部１３８が備えられ得る。前記入口部１３８は、前記バッテリーガイド１３６の上側に備えられ、所定の高さを有するように上側に延びて形成され得る。これに伴い、前記入口部１３８の上段は、前記バッテリー収容空間１３０ａに収容された補助バッテリー３０２の上段部より上側に配置され得る。
【０１０５】
前記補助バッテリー３０２の挿入が容易となるように前記入口部１３８の内周面は、前記バッテリーガイド１３６と段差があるように形成され得る。具体的に、前記入口部１３８の内周面は、前記バッテリーガイド１３６の内周面より広く形成され得る。これに伴い、前記入口部１３８と前記バッテリーガイド１３６の境界には安着部１３８２が形成され、前記補助バッテリー３０２の端顎部３０２８は、前記安着部１３８２に安着されることができる。
【０１０６】
このように、前記バッテリーガイド１３６は、前記補助バッテリー３０２と対応する形状に形成されるので直接挿入が困難である問題があるが、前記バッテリーガイド１３６より幅が広い入口部１３８が備えられることによって前記補助バッテリー３０２を容易に挿入することができる。
【０１０７】
前記第２本体１３０には排水孔１３９が備えられ得る。前記排水孔１３９は、前記第２本体１３０の底面に形成されて外部空間と連通することができる。前記排水孔１３９は、前記第２本体１３０内部に流入する水などの液体が前記第２本体１３０内部に溜まることを防止するためのものである。これに伴い、前記第２充電端子１３１が水などの液体によって損傷する現象を防止することができる。
【０１０８】
前記排水孔１３９は、前記陥没部１３３に備えられ、前記第２充電端子１３１と隣接するように配置され得る。これに伴い、前記第２充電端子１３１の周辺部に淀んだ水などの液体が直ちに排水され得る。また、前記排水孔１３９は、示されたことと異なって複数で提供され得る。
【０１０９】
図１６および図１７は、第２本体のバッテリー収容空間に補助バッテリーが収容された状態の縦断面図である。
【０１１０】
図１６および図１７を参照すると、前記補助バッテリー３０２が前記バッテリー収容空間１３０ａに挿入されると、前記補助バッテリー３０２の第１結合部３０２４は前記第１溝部１３２に安着される。したがって、使用者は、前記第１溝部１３２を介して露出する前記補助バッテリー３０２の第１結合部３０２４と接触することができる。
【０１１１】
前記補助バッテリー３０２の第２結合部３０２６は、前記第２溝部１３４の底面１３４ａに安着される。
【０１１２】
一方、前記第２溝部１３４の底面１３４ａと前記第３溝部１１２の底面１１２ａが互いに連結されて平坦な面を形成し得る。これに伴い、前記第２結合部３０２６の少なくとも一部は、前記第３溝部１１２の底面１１２ａにも接触することができる。
【０１１３】
前記補助バッテリー３０２の第２結合部３０２６は、前記第２溝部１３４の底面１３４ａに安着したとき、前記第２結合部３０２６の側面部は、前記第３溝部１１２の側面部１１２ｂと離隔する。したがって、使用者は、前記第２結合部３０２６と前記第３溝部１１２の側面部１１２ｂとの間の離隔した空間に指を挿入して前記第２結合部３０２６に接触することができる。
【０１１４】
これに伴い、使用者は前記補助バッテリー３０２を把持した状態で、前記バッテリー収容空間１３０ａに前記補助バッテリー３０２を容易に引入れまたは引出すことができる。
【０１１５】
前記補助バッテリー３０２が前記バッテリー収容空間１３０ａに挿入されると、前記第２充電端子１３１は前記端子孔３０２３を貫通する。前記突出部３０２２内側には、前記端子孔３０２３を貫通した第２充電端子１３１と接触するバッテリー端子３０２９が備えられ得る。これに伴い、前記補助バッテリー３０２は、前記第２充電端子１３１を通じて充電され得る。
【０１１６】
前記補助バッテリー３０２の第１結合部３０２４と第２結合部３０２６は、前記バッテリー収容空間１３０ａの内周面によって加圧されないので、使用者は前記補助バッテリー３０２を前記バッテリー収容空間１３０ａに容易に出入れすることができる。
【０１１７】
図１８は、充電台からノズルが分離された様子を示す図である。
【０１１８】
図１８を参照すると、前記第１本体１１０には、前記余分のノズル３０３、３０４が選択的に結合される連結部１１８a、１１８bが備えられる。前記連結部１１８a、１１８bは、前記第１本体１１０の一側から延びることができる。
【０１１９】
使用者は、必要に応じてそれぞれのノズル３０３、３０４を前記連結部１１８a、１１８bに脱着することができる。これに伴い、前記余分のノズル３０３、３０４の保管および使用が容易になるので使用者の便宜性が向上し得る。
【０１２０】
図１９は、充電台が支持台から分離された様子を示す図であり、図２０は、掃除機が据え置かれた充電台が壁面に装着された様子を示す図である。
【０１２１】
図１９および図２０を参照すると、前記充電台本体１００には、前記支持台２２０が結合される結合部１１９が形成され得る。前記結合部１１９は、前記第１本体１１０に備えられ得る。前記支持台２２０は、前記結合部１１９に分離可能に結合され得る。これに伴い、使用者は前記第１本体１１０と前記支持台２２０を容易に分離することができる。
【０１２２】
必要に応じて、使用者は、前記固定部１１５ａ、１１５ｂを利用して前記前記支持台２２０が分離された充電台本体１１０を壁面２に固定することができる。
【０１２３】
図２１は、充電台本体が底面によって支持される様子を示す図である。
【０１２４】
図２１を参照すると、前記充電台本体１００の背面１１１は底面によって支持され得る。これのために前記充電台本体１００の背面１１１は平らな形状に成され得る。
【０１２５】
前記掃除機３００は、前記第１本体１１０の上側に安着して据え置かれ、前記ロッキング部１２０は、前記掃除機３００の側方で結合されることによって前記掃除機３００を固定させることができる。
【０１２６】
このように、前記充電台本体１００は、使用状況によって多様な方法で据え置かれ得るので、使用者の便宜性が増大することができる。
【０１２７】
図２２は、本発明の他の実施例に係る掃除機据置台に掃除機が据え置かれた様子を示す図である。
【０１２８】
本実施例の掃除機据置台は、先の実施例の掃除機据置台と比較してバッテリー収容空間の位置においてのみ差があり、残りの構成は実質的に同じである。したがって、実質的に同じ構成については先の実施例と同じ図面符号を使用し、具体的な説明は省略するようにする。
【０１２９】
図２２を参照すると、本実施例の掃除機据置台は、第２本体１３０にバッテリー３０２が収容され、収容された状態で充電されるという点で先の実施例と同一である。
【０１３０】
但し、本実施例の掃除機据置台の場合、先の実施例とは異なり、バッテリー収容空間が前方から後方に向かって陥没して形成される。先の実施例の場合、前記第２本体１３０の上面から後方に向かって陥没して形成されるという点で本発明と差がある。
【０１３１】
但し、本実施例の場合、掃除機据置台に掃除機３００が据え置かれる場合、前記バッテリー収容空間に収容されたバッテリー３０２の少なくとも一部分が前記掃除機３００によりカバーされるという点で先の実施例と同一である。一方、前記バッテリー収容空間から前記バッテリー３０２が脱去された状態で前記掃除機３００が前記掃除機据置台に据え置かれる場合には、前記掃除機３００が前記バッテリー収容空間の少なくとも一部をカバーするようになる。
【図１】
2019514595.tif 000003
【図２】
2019514595.tif 000004
【図３】
2019514595.tif 000005
【図４】
2019514595.tif 000006
【図５】
2019514595.tif 000007
【図６】
2019514595.tif 000008
【図７】
2019514595.tif 000009
【図８】
2019514595.tif 000010
【図９】
2019514595.tif 000011
【図１０】
2019514595.tif 000012
【図１１】
2019514595.tif 000013
【図１２】
2019514595.tif 000014
【図１３】
2019514595.tif 000015
【図１４】
2019514595.tif 000016
【図１５】
2019514595.tif 000017
【図１６】
2019514595.tif 000018
【図１７】
2019514595.tif 000019
【図１８】
2019514595.tif 000020
【図１９】
2019514595.tif 000021
【図２０】
2019514595.tif 000022
【図２１】
2019514595.tif 000023
【図２２】
2019514595.tif 000024
【国際調査報告】
2019514595.tif 000025
2019514595.tif 000026
2019514595.tif 000027
2019514595.tif 000028